(57)【特許請求の範囲】
【請求項１】
ガススプリング（１）のトリガ装置（１００．１、１００．２）であって、
操作装置（２）と、
前記操作装置（２）に作用結合され、前記ガススプリング（１）の端部側のトリガ（３）に作用する操作要素（４．１、４．２）と、
を備え、
前記操作要素（４．１、４．２）は、
前記トリガ（３）に直接的または間接的に作用し、
特に力および／または変位を低減または増大して伝達するレバー機構（５．１、５．２）として形成され、
前記レバー機構（５．１、５．２）は、
前記操作装置（２）に作用結合される操作レバー（９．１、９．２）と、
前記操作レバー（９．１、９．２）と直接的または間接的に協働し、前記トリガ（３）に作用する少なくとも１つのトリガレバー（６．１、６．２）と
を備え、
前記トリガ装置（１００．１、１００．２）は、さらに、ハウジング（２０）を備え、
前記操作装置（２）の接続ユニット（３０）を接続するための第１ハウジング接続ユニット（２２）が前記ハウジング（２０）に存在し、
前記操作装置（２）は、前記ハウジング（２０）の内部において、前記ガススプリング（１）の長手方向に対して実質的に平行（Ｐ）に案内されるように接続可能であり、
前記操作装置（２）の接続ユニット（３０）を接続するための第２ハウジング接続ユニット（２４）が前記ハウジング（２０）に存在し、
前記操作装置（２）は、前記ハウジング（２０）の内部において、前記ガススプリング（１）の前記長手方向に対して実質的に直角（Ｑ）に案内されるように接続可能であり、
前記ハウジング（２０）は、２つの対向壁（２６、２８）と、下部正面壁（３２）と、特に上部正面壁（３４）と、を有し、
前記第１ハウジング接続ユニット（２２）は、
前記下部正面壁（３２）に存在し、
前記下部正面壁（３４）を貫通するとともに特に内ねじ（３８）を有する内孔（３６）によって形成され、
前記第２ハウジング接続ユニット（２４）は、前記対向壁（２６、２８）の左側または右側の端縁領域内に配置される
トリガ装置。
【請求項２】
請求項１に記載の装置であって、
前記第２ハウジング接続ユニット（２４）は、支持台要素（４０）によって形成され、
前記支持台要素（４０）は、前記対向壁（２６、２８）に装着され、特に着脱可能に装着され、貫通内孔（４２）を有する
装置。
【請求項３】
請求項２に記載の装置であって、
前記支持台要素（４０）は、前記対向壁（２６、２８）のいずれか１つの、少なくとも１つの溝（４４）内に装着される
装置。
【請求項４】
請求項３に記載の装置であって、
前記支持台要素（４０）は、前記対向壁（２６、２８）上において対向して内方に開口する２つの溝（４４）内に装着される
装置。
【請求項５】
請求項１ないし請求項４のいずれか一項に記載の装置であって、
前記操作装置（２）の調節ねじユニット（５０）または挿入スリーブユニット（５２）が接続可能であるか、接続されているように、前記第１ハウジング接続ユニット（２２）および／または第２ハウジング接続ユニット（２４）が形成される
装置。
【請求項６】
請求項１ないし請求項５のいずれか一項に記載の装置であって、
前記レバー機構（５．１、５．２）は、その全体が前記ハウジング（２０）の内部に配置される
装置。
【請求項７】
請求項１ないし請求項６のいずれか一項に記載の装置であって、
前記第１ハウジング接続ユニット（２２）に、外方に開口する側部スリット（５４）が隣接する
装置。
【請求項８】
請求項１ないし請求項７のいずれか一項に記載の装置であって、
前記ハウジング（２０）は、前記レバー機構（５．１、５．２）にアクセスするための装着開口（５６）を上部側に有する
装置。
【請求項９】
請求項１ないし請求項８のいずれか一項に記載の装置であって、
その前記レバー機構（５．１）を有する前記操作要素（４．１）は、
前記トリガレバー（６．１）が、一方の端部において、固定回転軸（７．１）を中心として枢動可能に前記ハウジング（２０）にピボット結合され、その他方の端部において、第２レバーすなわち結合レバー（８）にその端部において枢動可能に結合されていることと、
前記結合レバー（８）が、その他方の端部において、第３レバーすなわち前記操作レバー（９．１）に枢動可能に結合されていることと、
前記操作レバー（９．１）が、一方の端部において、固定回転軸（１０．１）を中心として枢動可能に前記ハウジング（２０）にピボット結合され、その他方の端部において、前記操作装置（２）に作用結合可能であるか、作用結合されている
ことを特徴とする
装置。
【請求項１０】
請求項９に記載の装置であって、
前記結合レバー（８）は、打抜き部品として、もしくは、ワイヤ曲げ部品またはクリップとして形成されている
装置。
【請求項１１】
請求項１ないし請求項８のいずれか一項に記載の装置であって、
その前記レバー機構（５．２）を有する前記操作要素（４．２）は、前記トリガレバー（６．２）が、一方の端部において、固定回転軸（７．１）を中心として枢動可能に装着され、該トリガレバー（６．２）が、その他方の端部において、第２レバーすなわち前記操作レバー（９．２）と協働するための接触領域（１２）を有し、前記操作レバー（９．
２）が、一方の端部において、固定回転軸（１０．２）を中心として枢動可能に装着され、その他方の端部において、前記操作装置（２）に作用結合され、前記操作レバー（９．２）が対応する対向接触領域（１４）を有することを特徴とする
装置。
【請求項１２】
請求項１１に記載の装置であって、
前記トリガレバー（６．２）の前記接触領域（１２）は、自由に回転可能なローラ（６２）を有する
装置。
【請求項１３】
請求項１０ないし請求項１２のいずれか一項に記載の装置であって、
前記トリガレバー（６．１、６．２）は、直角に曲げられるか、所定の角度に曲げられた周囲輪郭を有する
装置。
【請求項１４】
請求項１ないし請求項１３のいずれか一項に記載の装置であって、
前記ハウジング（２０）の内部において、異なる低減伝達比または増大伝達比を有するレバー機構が容易に位置決めされ得るように、
前記ハウジング（２０）が、その壁（２６、２８）内に、回転軸（１０．１、１０．２、７．１、７．２）のための複数の回転軸受内孔を有することと、
前記レバー機構（５．１、５．２）の前記レバーが複数の内孔を有することと
のうちの少なくとも一方を満たす
装置。
【請求項１５】
請求項１ないし請求項１４のいずれか一項に記載の装置であって、
前記ハウジング（２０）は、特にその下部正面壁（３２）内に、ガススプリング接続ユニット（７０）を有し、
前記ガススプリング（１）は、前記ガススプリング接続ユニット（７０）を介して、前記ハウジング（２０）の内部まで貫通された前記トリガ（３）に接続可能である
装置。
【請求項１６】
請求項１５に記載の装置であって、
前記ガススプリング接続ユニット（７０）は、特に内ねじを有する貫通内孔として形成されている
装置。
【請求項１７】
請求項１６に記載の装置であって、
前記ガススプリング（１）は、外ねじ（７２）を有し、
前記外ねじ（７２）は、前記ガススプリング接続ユニット（７０）の前記内ねじ（７１）内にねじ込まれ、ロックナット（７４）により固定される
装置。
【請求項１８】
請求項１５または請求項１６に記載の装置であって、
前記ガススプリング接続ユニット（７０）の領域内に、前記ガススプリング（１）の前記長手方向に対して直角に少なくとも１つの直交方向接続内孔（７５）が存在し、
前記ガススプリング接続ユニット（７０）内に挿入される前記ガススプリング（１）の一部分の接続を固定するためのねじピン（７６）が、前記直交方向接続内孔（７５）内にねじ込まれる  装置。
【請求項１９】
請求項１８に記載の装置であって、
前記ガススプリング接続ユニット（７０）内に挿入される前記ガススプリング（１）の前記一部分は、溝凹部（７７）を有し、
接続するための、ねじ込まれるねじピン（７６）の先端部（７８）が、一体形状となるように前記溝凹部（７７）内にはめ込まれる
装置。
【請求項２０】
請求項１５または請求項１９に記載の装置であって、
前記ガススプリング接続ユニット（７０）内に挿入される前記ガススプリング（１）の一部分は、挿入される該ガススプリングの一部分および前記ハウジング（２０）の内孔内に延在する少なくとも１つの円柱状ピンによって、または、前記ガススプリング（１）の挿入される前記一部分の溝内に一体形状となるように配置される少なくとも１つのＵ形状クリップによって、接続される
装置。
【請求項２１】
請求項１５ないし請求項１９のいずれか一項に記載の装置であって、
前記ハウジング（２０）の前記壁（２６、２８）は、前記ガススプリング接続ユニット（７０）の領域内の片側または両側の外側に、断面補強部（７９）を有する
装置。
【発明の詳細な説明】
【技術分野】
【０００１】
本発明は、ガススプリングのトリガ装置に関する。このトリガ装置は、操作装置と、操作装置に動作可能に結合され、ガススプリングの端部側トリガに作用する操作要素と、を備えている。操作要素は、トリガに直接的または間接的に作用し、特に力および／または変位を低減または増大して伝達するレバー機構として形成される。レバー機構は、操作装置に動作可能に結合された操作レバーと、操作レバーと直接的または間接的に協働するとともにトリガに作用する少なくとも１つのトリガレバーと、を備えている。トリガ装置は、さらに、ハウジングを備えている。
【背景技術】
【０００２】
ガススプリングは、実施例から、種々の実施形態において既知である。多くのガススプリングは、組み込まれた弁システムを備え、これにより、ガススプリングは、各位置において無段階に固定または係止され得る。この場合、ピストンは、圧力管においてシールされ、２つのガスチャンバを相互から分離する。弁が閉鎖されたとき、ガススプリングは固定され、所望の位置に係止され得る。たいていの場合、トリガタペットとして形成されたトリガの操作により、弁が開放され、ガススプリングは、いわゆる無段階に位置決めされ得る。この場合、押出速度および減衰は、ピストン内のノズルの選択により、それに対応して変化可能である。
【０００３】
当該タイプのガススプリングは、種々の用途に使用される。実施例から、事務机の椅子内のこのようなガススプリングの使用が既知である。同様に、ガススプリングにより、自動車座席または航空機座席が調節可能であり、または、日光浴用ベッドの部分が移動可能である。事務机もまた、ガススプリングにより高さが調節可能である。
【０００４】
実施例から既知のガススプリングにおいて、操作装置に動作可能に結合されるとともにガススプリングの端部側に設けられたトリガに直接的に作用する操作要素が必要である。この場合、例えば事務机の椅子においては、一般的に端部側領域によって直接的にトリガを押し下げる簡単なレバーの形態の操作要素が使用される。操作要素のこのような構成は、ガススプリングをトリガするためにきわめて大きな力が必要であるという大きな欠点を有している。さらに、トリガ作用は大きな重量を与えなければならないので、トリガの力が大きい場合、ガススプリング速度の調節が良好には可能ではないという他の欠点が付随する。
【０００５】
欧州特許第０９０７８４２号から、冒頭記載のタイプのガススプリングのトリガ装置が既知である。既知の装置の操作要素は、トリガレバーの他に、さらに、トリガレバーに枢動可能に結合された２つの他のレバーを備えている。
【０００６】
さらに、ドイツ特許公開第１９７１６７２０号および欧州特許第１３２８７３８号からガススプリングの他のトリガ装置が既知であり、これらのトリガ装置においても同様にレバー機構が使用される。ドイツ特許公開第１９７１６７２０号から既知の装置においては、２つのレバーが存在し、これらのレバーは接触領域を介して協働する。レバー間の作用結合は、歯車装置を介して、または、相互に当接する摩擦面を介して行われる。欧州特許第１３２８７３８号に記載の装置は、レバー機構の接触領域および／または操作レバーが、操作領域および／または接触領域上を転動するための自由に回転可能なローラまたはボールを有するように形成されている。
【先行技術文献】
【特許文献】
【０００７】
【特許文献１】欧州特許第０９０７８４２号
【特許文献２】ドイツ特許公開第１９７１６７２０号
【特許文献３】欧州特許第１３２８７３８号
【発明の概要】
【発明が解決しようとする課題】
【０００８】
上記の従来技術から出発して、本発明の課題または技術的問題点は、周囲の構造部分の種々の幾何的空間条件において使用可能であり、経済的に製造可能であり、継続的に確実な機能を保証し、場所をとらないように形成され、それぞれの要求に可変に適合可能な、冒頭記載のタイプのガススプリングのトリガ装置を構成し、改良することである。
【課題を解決するための手段】
【０００９】
本発明によるガススプリングのトリガ装置は、独立請求項１の特徴により提供される。
【００１０】
有利な形態および変更態様が、独立請求項１に直接的または間接的に従属する請求項の対象である。
【００１１】
それに応じて、本発明によるガススプリングのトリガ装置は、ハウジングに、操作装置の接続ユニットを接続するための第１ハウジング接続ユニットが存在し、接続可能または接続された操作装置が、ハウジングの内部においてガススプリングの長手方向に対して実質的に平行に案内され、ハウジングに、操作装置の接続ユニットを接続するための第２ハウジング接続ユニットが存在し、接続可能または接続された操作装置が、ハウジングの内部においてガススプリングの長手方向に対して実質的に直角に案内されることを特徴とする。
【００１２】
本発明による装置が代替態様として操作装置に対して２つの接続可能性を有することにより、装置それ自身は、その周囲の構造部分の、要求される種々の既存の幾何形状において、それぞれ個々に適合可能であり、使用可能である。
【００１３】
特に好ましい一形態は、ハウジングが、２つの対向壁、下部正面壁および特に上部正面壁を有し、第１ハウジング接続ユニットが下部正面壁に存在し、特に下部正面壁を貫通する内孔によって形成され、特に内孔が内ねじを有し、第２ハウジング接続ユニットが対向壁の左側または右側の端縁領域内に配置されていることを特徴とする。
【００１４】
この簡単な形態によれば、僅かな占有空間を必要とするにすぎず、確実な接続を保証する、操作装置に対する特に確実な接続可能性が提供される。
【００１５】
好ましい一形態によれば、装置は、第２ハウジング接続ユニットが、対向壁に装着される（特に着脱可能に装着される）とともに貫通内孔を有する支持台要素により形成されていることを特徴とする。
【００１６】
支持台要素の装着は、例えば、ハウジングの壁の１つまたは２つの対向溝内にストッパまで挿入することにより実施可能である。これにより、問題なく着脱可能な、即ち、使用時に速やかに修正可能な形態が得られる。他のタイプの支持台要素を他の方法で、例えば、ねじ込み結合により着脱可能に接続することも可能である。支持台要素は、ハウジング内に固定的に一体化されていてもよい。
【００１７】
特に好ましい一形態は、操作装置の調節ねじユニットまたは挿入スリーブユニットが接続可能であるか、接続されるように、第１および／または第２ハウジング接続ユニットが形成されていることを特徴とする。調節ねじユニットまたは挿入スリーブユニットの使用により、調節されるべき操作変位に関して操作装置の問題のない調節が問題なく可能である。
【００１８】
継続的に確実な機能を保証する特に有利な一変更形態は、レバー機構が完全にハウジングの内部に配置されていることを特徴とする。レバー機構の全てのレバーがハウジングの内部に存在することにより、外方に突出する邪魔な構造部分が存在しないので、構造部分それ自体は、汚染または周囲の構造物との衝突から十分に保護されている。
【００１９】
好ましくはボーデン・ケーブルとして形成される操作装置の組立または接続を容易にするために、特に有利な一形態は、第１ハウジング接続ユニットに、外方に開放する側部スリットが存在することを特徴とする。ボーデン・ケーブルをレバー機構に接続するときに、例えばボーデン・ケーブルの作用ケーブルは側部スリットを通して外側から供給可能であり、それに続いて接続可能である。
【００２０】
有利な一形態において、ハウジングが上部側に装着開口を有し、装着開口は、レバー機構の装着の間に外部からレバー機構にアクセスすることを可能にし、したがって、レバー機構は、それに対応して容易に位置決め可能である。
【００２１】
そのレバー機構を有する操作要素の第１の代替形態は、トリガレバーが、一方の端部において、固定回転軸を中心として枢動可能にハウジングにピボット結合され、その他方の端部において、第２レバー（即ち、結合レバー）に枢動可能に結合され、結合レバーが、その他方の端部において、枢動可能に第３レバー（即ち、操作レバー）に結合され、操作レバーが、一方の端部において、固定回転軸を中心として枢動可能にハウジングにピボット結合され、その他方の端部において、操作装置に作用結合可能であるか作用結合されていることを特徴とし、この場合、代替態様として、例えば、結合レバーが打抜き部品としてまたはワイヤ曲げ部品（例えば、クリップ）として形成可能である。
【００２２】
そのレバー機構を有する操作要素の形態の第２の代替態様は、トリガレバーが、一方の端部において、固定回転軸を中心として枢動可能に装着され、その他方の端部において、第２レバー（即ち、操作レバー）と協働するための接触領域を有し、操作レバーが、一方の端部において、固定回転軸を中心として枢動可能に装着され、その他方の端部において、操作装置に作用結合され、操作レバーが、対応する対向接触領域を有することを特徴とする。
【００２３】
トリガレバーの接触領域および／または操作レバーの対向接触領域は、対向接触領域上またはその逆の接触領域上を転動する自由に回転可能なローラまたはボールを有してもよい。転動するためのボールまたはローラが存在することなく、接触領域が直接的に相互に当接することも可能である。
【００２４】
場所をとらない、コンパクトな方法を可能にする特に有利な一形態は、トリガレバーが、直角に曲げられるか、ある角度に曲げられた周囲輪郭を有することを特徴とする。
【００２５】
１つの同じハウジングを用いて、所望の使用に応じて、それぞれ、レバー機構の複数の低減伝達比または増大伝達比を容易に実施可能にするために、特に有利な一形態は、異なる低減伝達または増大伝達を有するレバー機構がハウジングの内部において容易に位置決め可能となるように、ハウジングが、その壁内に、複数の回転軸受内孔を有し、および／または、レバー機構のレバーが複数の内孔を有することを特徴とし、これにより、対応するピンまたはボルトが、内孔内に回転軸として挿入される。
【００２６】
継続的に確実な機能を有するとともにコンパクトな実施を保証する特に有利な一形態は、ハウジングが、特にその下部正面壁内にガススプリング接続ユニットを有し、ガススプリング接続ユニットを介して、ガススプリングが、ハウジングの内部まで貫通されたトリガと接続可能であることを特徴とする。この実施変更態様では、狭い空間条件においても、継続的に確実なガススプリングの接続が問題なく可能である。
【００２７】
貫通内孔は、接続するために、例えばガススプリングの外ねじをその中にねじ込み可能な内ねじを有することが好ましく、ガススプリングのこの外ねじは、それに続いて、ロックナットがその上にねじ込まれてガススプリングのハウジングへの接続をさらに確実にするために、使用される。
【００２８】
ガススプリングをハウジングに接続するための一代替変更態様は、ガススプリング接続ユニットの領域内において、ガススプリングの長手方向に対して直角に少なくとも１つの直交方向接続内孔が存在し、直交方向接続内孔内に、ガススプリング接続ユニット内に挿入されるガススプリングの一部分の接続を固定するためのねじピンがねじ込まれていることを特徴とする。
【００２９】
ガススプリング接続の有利な一代替形態は、ガススプリング接続ユニット内に挿入されるガススプリングの一部分が溝凹部を有し、溝凹部内に、接続するための、ねじ込まれたねじピンの先端部が一体形状にはめ込まれていることを特徴とする。この場合、ガススプリングのねじ込みは省略可能である。
【００３０】
構造的に特に容易に実施可能な、特に有利に可能な第３の形態は、ガススプリング接続ユニット内に挿入されるガススプリングの一部分が、挿入されたガススプリングの一部分およびハウジングの内孔内に延在する少なくとも１つの円柱形ピンによって、または、挿入されたガススプリングの一部分の溝内に一体形状に配置された少なくとも１つのＵ形状クリップによって、接続されることを特徴とする。
【００３１】
ハウジングの壁が、ガススプリング接続ユニットの領域内の片側または両側の外側に、断面補強を有して設けられることが好ましく、これにより、一方で、継続的に確実な荷重支持接続を確保することができ、さらに、ハウジングの壁を比較的薄くすることが可能であるので、全体として重量および空間が低減され、装置は、狭い空間条件においても問題なく使用可能である。
【００３２】
上記のレバー機構は、小さいトリガ力によりガススプリングが制御可能かつ所定のトリガが可能であるように働く好ましい形態を示し、この場合、同時に、コンパクトな構造を実施可能である。代替態様として、レバー機構は、偏心カムディスク、カム、歯車または歯車機構を備えていてもよい。しかしながら、特に簡単にボーデン・ケーブルとして形成された操作装置それ自体は、他のタイプで構成されてもよい。即ち、例えば電気サーボモータまたはステッピングモータが使用されてもよく、または、操作が誘導力または磁力により行われてもよい。操作要素の油圧作動または空気圧作動も問題なく可能である。
【００３３】
作用ケーブルまたはボーデン・ケーブルとしての操作装置の特に簡単な形態は、装着を容易にし、装置の使用領域の複雑な空間条件においても問題なく可能である。この場合、引っ張られたときに操作レバーをトリガの方向に枢動させるボーデン・ケーブルは、内側の操作レバーとピボット結合されていてもよく、このとき、代替態様として、本発明により、ケーブルの端部領域は、２つの方向（即ち、ガススプリングに対して平行または直角に）案内されることができ、第１または第２接続ユニットにおいてハウジングにしっかりと接続可能である。操作装置それ自体は、トリガ作用を容易にするために、レバー、ボタン等を有してもよい。これは、継続的に確実な機能を保証する、経済的に製造可能な簡単な構造を可能にする。
【００３４】
特許請求の範囲に記載の特徴および以下に与えられる実施例により、本発明の他の実施形態および利点が得られる。特許請求の範囲の特徴は、それらが明らかに相互に他を排除しないかぎり、相互に任意に組み合わせ可能である。
【００３５】
本発明、ならびに、その有利な実施形態および変更態様が、図面に示された例に基づいて以下に詳細に記載され説明される。説明および図面から得られる特徴は、個々にそれ自身として、または、複数の任意の組み合わせとして本発明により使用可能である。
【図面の簡単な説明】
【００３６】
【図１】図１は、第１レバー機構を備えるガススプリングのトリガ装置の第１の実施例の概略縦断面図を示しており、レバー機構のための操作装置は、挿入スリーブを介して装置のハウジングに接続され、ガススプリングは、上部側接続部を有するハウジングに直接的に接続され、ガススプリングおよび操作装置は、実質的に平行方向に接続されている。
【図２】図２は、第１レバー機構を備えるガススプリングのトリガ装置の第１の実施例の概略縦断面図を示しており、レバー機構のための操作装置は、調節ねじを介して装置のハウジングに接続され、ガススプリングは、上部側接続部を有するハウジングに直接的に接続され、ガススプリングおよび操作装置は、実質的に平行方向に接続されている。
【図３】図３は、第１レバー機構を備えるガススプリングのトリガ装置の第１の実施例の概略縦断面図を示しており、レバー機構のための操作装置は、調節ねじを介して装置のハウジングに接続され、ガススプリングは、上部側接続部を有していないが上部側装着開口を有するハウジングに直接的に接続され、ガススプリングおよび操作装置は、実質的に平行方向に接続されている。
【図４】図４は、接続されたガススプリングの長手方向に沿った図２に示す装置の概略断面図を示しており、ガススプリングは、ロックナットにねじ込まれ、それによって固定されている。
【図５】図５は、接続されたガススプリングの長手方向に沿った図１に示す装置の概略断面図を示しており、ガススプリングは、２つの対向締付ねじにねじこまれ、それによってねじ締めされている。
【図６】図６は、接続されたガススプリングの長手方向に沿った図１に示す装置の略横断面図を示しており、ガススプリングは、ねじ込まれることなく２つの対向締付ねじにより固定され、締付ねじの先端部は、ガススプリングに存在する溝内にはめ込まれている。
【図７】図７は、第２レバー機構を備えるガススプリングのトリガ装置の第２の実施例の概略縦断面図を示しており、レバー機構のための操作装置は、調節ねじを介して装置のハウジングに接続され、ガススプリングは、上部側接続部を有するハウジングに直接的に接続され、ガススプリングおよび操作装置は、互いに対して実質的に直角方向に接続されている。
【図８】図８は、第２レバー機構を備えるガススプリングのトリガ装置の第２の実施例の概略縦断面図を示しており、レバー機構のための操作装置は、挿入スリーブを介して装置のハウジングに接続され、ガススプリングは、上部側接続部を有するハウジングに直接的に接続され、ガススプリングおよび操作装置は、互いに対して実質的に直角方向に接続されている。
【図９】図９は、接続されたガススプリングの長手方向に沿った図７に示す装置の概略横断面図を示しており、ガススプリングは、ロックナットにねじ込まれ、固定されている。
【図１０】図１０は、接続されたガススプリングの長手方向に沿った図８に示す装置の概略断面図を示しており、ガススプリングは、２つの対向締付ねじにねじ込まれ、それによってねじ締めされている。
【図１１】図１１は、接続されたガススプリングの長手方向に沿った図１に示す装置の概略断面図を示しており、ガススプリングは、ねじ込まれることなく２つの対向締付ねじにより固定され、締付ねじの先端部は、ガススプリングに存在する溝内にはめ込まれた。
【図１２】図１２は、図１，２，７，８に示す装置の概略側面図を示す。
【図１３】図１３は、図１２に示すハウジングの概略底面図を示す。
【図１４】図１４は、図１２に示すハウジングの概略平面図を示す。
【図１５】図１５は、図１２に示すハウジングの概略左側面図を示す。
【図１６】図１６は、図１２に示すハウジングの概略右側面図を示す。
【図１７】図１７は、図１７に示すハウジングの概略縦断面図を示す。
【図１８】図１８は、上部ボーデン接続部を有していない、図３に示す装置のハウジングの概略側面図を示す。
【図１９ａ】図１９ａは、図１７に示すハウジングの溝内に挿入可能な支持台要素の概略側面図を示す。
【図１９ｂ】図１９ｂは、図１９ａに示す支持台要素の概略正面図を示す。
【図２０】図２０は、ガススプリングのトリガ装置のきわめて簡略化された図を示しており、トリガ装置は、２つの異なる方向のいずれかに接続可能な操作装置と、ハウジングへのガススプリング直接接続部と、を備えている。
【発明を実施するための形態】
【００３７】
図２０に、ガススプリング１のトリガ装置１００がきわめて簡略化されて示されている。図２０では、上端部側のみが部分的に示されている。本発明の本質的な考え方は、操作装置２が、第１ハウジング接続ユニット２２を介して、ガススプリング１の長手方向Ｌに対して実質的に平行に延在する方向Ｐに接続可能であるか、または、その代わりに、操作装置２の接続が、ガススプリング１の長手方向Ｌに対して略直角Ｑに延在する第２ハウジング接続ユニット２４を介して可能であることである。ここで、操作装置２は、ハウジング２０の内部に配置されるとともにレバー機構５を有する操作要素４に作用し、レバー機構は、ガススプリング１のトリガ３に作用する。両方の接続変更態様は、同じハウジング２０を有することが可能である。
【００３８】
さらに、他の本質的な特徴として、ガススプリング１、または、トリガ３を有するその上端部領域は、装置１００のハウジング２０に直接的に接続可能であり、特定の実施変更態様においては、ロックナットの使用の省略も可能である。
【００３９】
以下に、本発明のこの考え方の種々の実施形態が、構造的形態において図示されている。
【００４０】
図１ないし図１１は、ガススプリング１のトリガ装置１００．１、１００．２、１００．３の第１の実施形態を示している（ここでは、端部側のみが部分的に示されている）。装置１００．１、１００．２、１００．３は、単に略図で示された操作装置２を備えており、この実施例においては、操作装置２は、ケーブル１６を有するボーデン・ケーブルとして構成されている。操作装置２は、ガススプリング１の端部側トリガ３に直接的に作用する操作要素４．１または４．２に作用する。
【００４１】
図１において、操作要素４．１は、力および／または変位を低減または増大して伝達するレバー機構５．１として実施されており、これらのレバーの１つであるいわゆるトリガレバー６．１は、トリガ３を直接的に押し下げる。
【００４２】
トリガレバー６．１は、一方の端部において、固定回転軸７．１を中心として枢動可能にハウジング２０にピボット結合され、その他方の端部において、第２レバー（いわゆる結合レバー８）に、その端部において枢動可能に結合されている。結合レバー８は、その他方の端部において、第３レバー（いわゆる操作レバー９．１）に枢動可能に結合されている。操作レバー９．１は、一方の端部において、固定回転軸１０．１を中心として枢動可能にハウジング２０にピボット結合され、他方の端部において、圧入ニップル１８を介して操作装置２に作用結合されている。
【００４３】
一方で、固定回転軸７．１とトリガ３との間、および、結合レバー８との枢動結合部とトリガ３との間のトリガレバー６．１のレバー部分の比、ならびに、他方で、固定回転軸１０．１と、自由端または操作装置２との作用結合部と、の間、および、結合レバー８との枢動結合部と、上記自由端または操作装置２との作用結合部と、の間の操作レバー９．１のレバー部分の比は、レバー機構５．１の力および／または変位を低減または増大して伝達する尺度を与える。
【００４４】
レバー機構全体はハウジング２０により包囲され、ハウジング２０は、対向する平行な２つの壁２６，２８と、下部正面壁３２および上部正面壁３４と、から構成される（特に図４，５，６参照）。上部側の上部正面壁３４に、ボーデン接続部として形成された接続ユニット３０が一体的に成形され、接続ユニット３０は、装置１００．１を周囲構造部分に接続するために使用される。
【００４５】
装置は、下部正面壁３２内において、図１の左側端縁領域内に第１ハウジング接続ユニット２２を有しており、第１ハウジング接続ユニット２２は、内ねじ３８を有する貫通内孔３６として形成されている。
【００４６】
貫通内孔３６に隣接して、下部正面壁３２に、図１の左側に向かって開口する貫通スリット５４が存在する。第１ハウジング接続ユニット２２は、挿入された操作装置２をハウジング２０に接続するために使用される。図１に示す実施例において、これは挿入スリーブユニット５２によって構造的に実施される。挿入スリーブユニット５２は、第１ハウジング接続ユニット２２の内孔３６内に配置され、操作装置２のケーブル１６は、内孔３６を通して、操作レバー９の端部領域への圧入ニップル１８の接続部まで内部に案内される。スリット３６は、装着されるときに、操作装置２（特に、ケーブル１６）を横から容易に挿入可能にするために使用される。
【００４７】
図２に示す装置１００．１は、第１ハウジング接続ユニット２２内の挿入スリーブユニット５２の代わりに調節ねじユニット５０がねじ込まれている点において、図１に示す装置１００．１とは異なっている。この調節ねじユニット５０により、操作装置２のケーブル１６の有効長さが調節可能である。同じ構造部分には同じ符号を付しており、再度の説明は行わない。
【００４８】
図１および図２の装置１００．１は、トリガ３がその中で長手方向に変位可能に案内されるガススプリング１の上端部領域が、ハウジング２０に直接的に接続されていることを特徴とする。このために、装置１００．１は、下部正面壁３２内にガススプリング接続ユニット７０を有しており、この実施例においては、ガススプリング接続ユニット７０は、例えば内ねじ７２を有する貫通内孔として形成されている。ガススプリング１の端部領域は、外ねじ７２を有しており、外ねじ７２は、ガススプリング接続ユニット７０の内ねじ７１内にねじ込み可能である。ガススプリングの長手方向は、図１および図２においてＬで表わされている。図１に示す装置１００．１の形態において、ガススプリング１のねじ込まれた端部領域は、長手方向に対して直角に、即ち図１の紙面に対して垂直に第２内孔内にねじ込まれたねじピンにより両方の外側から固定されている。
【００４９】
ガススプリング接続ユニット７０の領域内において、ハウジング２０の壁２６，２８は断面補強部７９を有している。ねじピンは、それぞれ、壁２６または２８内を貫通する直交方向接続内孔７５内にねじ込まれている。これにより、ガススプリング１は、ハウジング２０に確実に接続されている。
【００５０】
図１および２に示す実施例における操作装置２の接続方向は、図において両方向矢印Ｐにより表され、ガススプリング１の長手方向Ｌに対して平行に延在している。
【００５１】
図２に示す装置１００．１の実施形態は、図２に示す実施形態においては横からねじ込まれるねじピンが省略され、ガススプリング１のハウジングへの位置の固定が外ねじ７２上にねじ込まれたロックナット７４によって行われる点において、図１に示す実施形態とは異なっている。
【００５２】
図１に示す実施形態におけるガススプリング１の接続が、図５の断面図に詳細に示されている。図２の実施形態によるガススプリングの接続が、図４の断面図に詳細に示されている。
【００５３】
最後に、ガススプリング１のハウジングへの接続の第３の実施変更態様も可能である（図６の断面図に示されている）。この変更態様は、図５に示す実施形態に類似しているが、ここでは、直交方向接続内孔７５の内ねじは必要ではない。それは、ガススプリング１の端部領域がクジャク形の溝を有し、この溝内に、直交方向内孔７５内にねじ込まれたねじピン７３が、ねじ込まれた状態において、その先端部を一体形状にはめ込まれ、これによりガススプリング１のハウジング２０との確実な結合が保証されているからである。
【００５４】
図３に示すガススプリング１のトリガ装置１００．３は、レバー機構５．１を有する操作要素４．１に関して上記の装置１００に類似しているが、コンパクトに形成されており、上部接続ユニット３０を有していない。上部正面壁３４内に装着開口３６が形成されており、装着を容易にするために、装着開口３６を介してレバー機構５．１または操作レバー９．１へのアクセスが可能である。操作装置２のハウジング２０への接続は、図２に示す実施形態と同様に、ねじ込まれた調節ねじユニット５０を有する第１ハウジング接続ユニット２２を介して行われる。同じ構造部分には同じ符号を付しており、再度の説明は行わない。ガススプリング１の上端部領域のハウジング２０への接続は、図６に示すように、ねじピン７６により行われ、ねじピン７６の先端部７８は、ガススプリング１の上端部領域の溝７７内にはめ込まれている。
【００５５】
図７および図８に、それぞれ、ガススプリング１の代替的なトリガ装置１００．２が示されている。トリガ装置１００．２は、ハウジング２０に関しては基本的に上記装置１００．１と同じ構造を有するが、この場合、操作装置２は、ハウジングの右上端縁領域内に第２ハウジング接続ユニット２４を介して接続されているので、ボーデン・ケーブルとして接続された操作装置２のケーブル１６は、ガススプリング１の長手方向Ｌに対して実質的に直角Ｑに延在する。
【００５６】
ハウジング２０の内部に完全に収容された、そのレバー機構５．２を有する操作要素４．２は、固定位置で回転軸７．２を中心として回転可能に存在するトリガレバー６．２が存在し、トリガレバー６．２が、トリガ３に作用し、その他方の端部領域に回転可能なローラ６２（これは、接触面１２を形成する）を有し、接触面１２が、操作レバー９．２の対応する接触面６４（対向接触面１４）に当接する点において、レバー機構５．１とは異なっている。この場合、操作レバー９．２は、その一方の端部において、固定回転軸１０．２を中心として回転可能に装着され、その他方の端部において、圧入ニップル１８の手前で操作装置２のケーブル１６が固定されている。操作レバー９．２が操作されたとき、その接触面６４はトリガレバー６．２のローラ６２に作用し、トリガレバー６．２は、接触面６４上を転動し、それに対応してトリガ圧力をガススプリング１のトリガ３に与える。トリガレバー６．２は、この場合、直角に曲げられて形成されているので、コンパクトな構造を達成可能である。
【００５７】
第２ハウジング接続ユニット２４は支持台要素４０を有しており、支持台要素４０は、ハウジング２０の右側上端縁領域内において対向壁２６，２８に一体形状に着脱可能に装着されている。支持台要素４０は、内ねじ４３を有する貫通内孔４２を有しており、これが図１９ａ，１９ｂに示されている。
【００５８】
操作装置を案内接続するために、図８に示す実施形態においては挿入スリーブユニット５２が、図７に示す実施形態においては調節ねじユニット５０が、内孔４２内に挿入されるか、ねじ込まれている。
【００５９】
実施例において、支持台要素４０は、上部側の両側に突出ユニット４５を有しており、突出ユニット４５は、壁２６，２８の内壁において内方に開口する、ハウジング２０の対応する溝４４内に挿入される。支持台要素４０は、外方に向かって支持台プレート４６を有しており、支持台プレート４６は、貫通内孔４２を有し、対応凹部４８を介して壁２６，２８の内側に当接可能であるので、支持台要素４０が挿入されたとき、突出ユニット４５が溝４４内に装着され、支持台プレート４６が凹部４８内に装着され、したがって、外側はハウジング２０と同一面で終端する。
【００６０】
ハウジングそれ自体は、図１２ないし図１８に詳細に示されている。
【００６１】
図１２および図１７において、ハウジング２０に、固定回転軸７．１、７．２、１０．１、１０．２の種々の幾何的配置が示されており、回転軸の代替配置が破線で示されている。レバー機構５のレバー要素がいずれの回転軸７，１０に接続されているかに応じて、それぞれ、レバー機構の種々の低減伝達比および増大伝達比を実施可能である。
【符号の説明】
【００６２】
１  ガススプリング
２  操作装置
３  トリガ
４、４．１、４．２  操作要素
５、５．１、５．２  レバー機構
６、６．１、６．２  トリガレバー
７、７．１、７．２  固定回転軸
８  結合レバー
９、９．１、９．２  操作レバー
１０、１０．１、１０．２  固定回転軸
１２  接触領域
１４  対向接触領域
１６  ケーブル
１８  圧入ニップル
２０  ハウジング
２２  第１ハウジング接続ユニット
２４  第２ハウジング接続ユニット
２６  壁
２８  壁
３０  接続ユニット
３２  下部正面壁
３４  上部正面壁
３６  内孔
３８  内ねじ
４０  支持台要素
４２  内孔
４３  内ねじ
４４  溝
４５  突出ユニット
４６  支持台プレート
４８  凹部
５０  調節ねじユニット
５２  挿入スリーブユニット
５４  スリット
５６  装着開口
６２  ローラ
６４  接触面
７０  ガススプリング接続ユニット
７１  内ねじ
７２  外ねじ
７３  ねじピン
７４  ロックナット
７５  直交方向接続内孔
７６  ねじピン
７７  溝凹部
７８  先端部
７９  断面補強部
１００、１００．１、１００．２、１００．３  装置
Ｌ  ガススプリングの長手方向
Ｐ  操作装置の接続方向
Ｑ  Ｌに対する直角方向
【図１】
0006511049.tif 000002
【図２】
0006511049.tif 000003
【図３】
0006511049.tif 000004
【図４】
0006511049.tif 000005
【図５】
0006511049.tif 000006
【図６】
0006511049.tif 000007
【図７】
0006511049.tif 000008
【図８】
0006511049.tif 000009
【図９】
0006511049.tif 000010
【図１０】
0006511049.tif 000011
【図１１】
0006511049.tif 000012
【図１２】
0006511049.tif 000013
【図１３】
0006511049.tif 000014
【図１４】
0006511049.tif 000015
【図１５】
0006511049.tif 000016
【図１６】
0006511049.tif 000017
【図１７】
0006511049.tif 000018
【図１８】
0006511049.tif 000019
【図１９ａ）】
0006511049.tif 000020
【図１９ｂ）】
0006511049.tif 000021
【図２０】
0006511049.tif 000022